(57)【特許請求の範囲】
【請求項１】
ウェット・ティッシュを収納するための収納部と、前記収納部の上側を開閉するための収納蓋と、前記収納蓋の外側に設けられると共に排便袋を収納する排便袋ポケットと、愛玩動物の排便を回収したビニール袋を収納するための補助収納部と、を備え、手提げ鞄の一側上端部に設けられたストラップと、前記ストラップの下側に設けられた第１のフックと、前記ストラップに対向する手提げ鞄の他側上端部に設けられた輪を備えて構成され、前記輪の下側には第２のフックが更に設けられた、愛玩動物の排便処理のための用品を収納するための手提げ鞄において、
前記手提げ鞄の第１のフックに最大に近接して位置し、ユーザーが手で握るための取っ手、及び前記取っ手に一体に形成され、引き紐の一側が引き出し可能な構造にその内部に設けられるハウジングを含み、
前記ストラップは、前記取っ手と前記ハウジングとの間の空間を貫通して再び前記第１のフックに固定され、
前記引き紐の他側は、前記第２のフックを貫通して位置し、前記引き紐の他端部にはフックが設けられ、
前記引き紐は、加えられる引張力によって前記ハウジングから引き出され、
前記収納部の前面はプラスチック板で構成され、このプラスチック板には前記収納部の内部に収納されるウェット・ティッシュを外部から引き出すための孔が形成されることを特徴とする愛玩動物の排便処理のための携帯型手提げ鞄。
【発明の詳細な説明】
【技術分野】
【０００１】
本発明は例えば、犬などの愛玩動物と共に外出する際、愛玩動物の排便処理などのためのウェット・ティッシュ及び排便袋を容易に携帯して用いることができる愛玩動物の排便処理のための携帯型手提げ鞄に関するものである。
【背景技術】
【０００２】
一般的に愛玩動物を戸外に連れて行く時は愛玩動物の排便を処理するための排便袋と愛玩動物の足や肛門を清掃するためのウェット・ティッシュを携帯して持ち歩く。ウェット・ティッシュは愛玩動物の肛門に付いた排便や足に付いた汚物などを家に入る前に、または室内に連れて入る前に拭くために持ち歩くものであり、排便袋は愛玩動物が室外に排便した場合、排便を回収するために持ち歩くものである。
通常、排便袋とウェット・ティッシュは別の鞄や服に保管する。ところが、万一愛玩動物が室外で排便すると、これを処理するために鞄や服に収納している排便袋を取り出して排便を処理しなければならない。しかし、通常愛玩動物を戸外に連れて行く時は愛玩動物の首にベルトまたはストラップを装着した後ベルトまたはストラップに引き紐を連結し、これを片手で握る。したがって愛玩動物の排便を処理するためには引き紐を握っていないもう一方の手だけを用いるため、排便処理が非常に不便である。また排便を処理して排便を回収した場合にもその回収した排便を収納する場所が設けられていない。
また、愛玩動物を自動車の内部や室内に移す場合にも片手で愛玩動物を捕まえた状態で残りの片手だけを用いてウェット・ティッシュを取り出して愛玩動物に対する清掃動作を行わなければならないので非常に不便である。
【発明の概要】
【発明が解決しようとする課題】
【０００３】
本発明は前述した事情に鑑みてなされたものであり、その目的は、愛玩動物の排便処理などのための用品、例えば、ウェット・ティッシュや排便袋などを効果的に収納すると共に、非常に簡便に携帯できるようにした愛玩動物の排便処理のための携帯型手提げ鞄を提供することにある。
また、本発明の他の目的は片手だけを用いて愛玩動物の排便を容易に処理でき、愛玩動物に対する清掃動作を容易に行うことができる愛玩動物の排便処理のための携帯型手提げ鞄を提供することにある。
【課題を解決するための手段】
【０００４】
前述の目的を達成するための本発明の好ましい実施形態に係る愛玩動物の排便処理のための携帯型手提げ鞄は、ウェット・ティッシュを収納するための収納部と、前記収納部の上側を開閉するための収納蓋と、前記収納蓋の外側に設けられると共に排便袋を収納する排便袋ポケットと、愛玩動物の排便を回収したビニール袋を収納するための補助収納部と、を備え、手提げ鞄の一側上端部に設けられたストラップと、前記ストラップの下側に設けられた第１のフックと、前記ストラップに対向する手提げ鞄の他側上端部に設けられた輪を備えて構成され、前記輪の下側には第２のフックが更に設けられた、愛玩動物の排便処理のための用品を収納するための手提げ鞄において、
前記手提げ鞄の第１のフックに最大に近接して位置し、ユーザーが手で握るための取っ手、及び前記取っ手に一体に形成され、引き紐の一側が引き出し可能な構造にその内部に設けられるハウジングを含み、
前記ストラップは、前記取っ手と前記ハウジングとの間の空間を貫通して再び前記第１のフックに固定され、
前記引き紐の他側は、前記第２のフックを貫通して位置し、前記引き紐の他端部にはフックが設けられ、
前記引き紐は、加えられる引張力によって前記ハウジングから引き出され、
前記収納部の前面はプラスチック板で構成され、このプラスチック板には前記収納部の内部に収納されるウェット・ティッシュを外部から引き出すための孔が形成されることを特徴とする。
【発明の効果】
【０００８】
前述した本発明によれば、愛玩動物との外出時、愛玩動物の排便処理用品などを効率的に収納できる携帯型手提げ鞄が提供される。また、この手提げ鞄は愛玩動物の引き紐に容易で、且つ堅く結合されるので、排便処理用品の携帯が簡便であると共に、用品を非常に便利に用いることができる。
【図面の簡単な説明】
【０００９】
【図１】本発明の第１実施形態に係る愛玩動物の排便処理のための携帯型手提げ鞄の外観形状を示す斜視図であって、手提げ鞄を閉めた状態を示す。
【図２】本発明の第１実施形態に係る愛玩動物の排便処理のための携帯型手提げ鞄の外観形状を示す斜視図であって、手提げ鞄を開けた状態を示す。
【図３】図１に示す手提げ鞄の正面図である。
【図４】図１に示す手提げ鞄の断面図である。
【図５】図１に示す手提げ鞄の使用状態図である
【図６】図１に示す手提げ鞄の使用状態図である。
【図７】手提げ鞄に結合された引き紐を有する本発明の第１実施形態に係る手提げ鞄の使用状態を説明するための正面図である。
【図８】本発明の第２実施形態に係る愛玩動物の排便処理のための携帯型手提げ鞄の外観形状を示す斜視図である。
【図９】図８に示す手提げ鞄の断面図である。
【図１０】本発明の第３実施形態に係る愛玩動物の排便処理のための携帯型手提げ鞄の正面図である。
【図１１】本発明の第４実施形態に係る愛玩動物の排便処理のための携帯用手提げ鞄の正面図である。
【発明を実施するための形態】
【００１０】
以下、添付した図面を参照して本発明に係る実施形態を説明する。但し、後述する実施形態は、本発明の一つの好ましい具現例を例示的に示したものに過ぎず、このような実施形態の例示は本発明の権利範囲を制限するためのものではない。本発明は当業者に明白であるように、その技術的思想の範囲内において多様な変形が可能である。
図１及び図２はそれぞれ、本発明の第１実施形態に係る愛玩動物の排便処理のための携帯型手提げ鞄の外観形状を示す斜視図であり、図３は図１に示す手提げ鞄の正面図である。
これらの図面において、本発明の第１実施形態に係る愛玩動物の排便処理のための携帯型手提げ鞄は、ウェット・ティッシュを収納するための収納部１０と、収納部１０の上部を開閉するための収納蓋１０ｂと、排便袋及びその他物品を収納するために収納蓋１０ｂの外部に形成された排便袋ポケット１０ｃを備える。
【００１１】
収納部１０は内部にウェット・ティッシュを受け入れて維持するための空間を有する。収納部１０の一側上端部には手提げ鞄を手首等に巻いて固定するためのストラップ１２が設けられ、ストラップ１２の下側には愛玩動物の首に連結された紐を固定するための第１のフック１１が設けられる。
ストラップ１２に対向する収納部１０の他側上端部には愛玩動物の首に連結された紐を挿入して装着するための輪１３が形成される。この輪１３の一側は収納部１０に固定結合され、輪１３の他側には接着テープ（例えば、ベルクロ（登録商標）・ファスナー）ｂが設けられて、収納部１０に着脱可能に結合される。
前述した輪１３は例えば、ベルクロ・ファスナーを接着して形成される。したがって、ユーザーは所要の直径のベルクロ・ファスナーを適切に形成することによって、輪１３のサイズを調節できる。
【００１２】
収納部１０の前面はプラスチック板１０ｄで構成される。このプラスチック板１０ｄには収納部１０の内部に収納されるウェット・ティッシュを外部から引き出すための孔１０ａが形成される。ウェット・ティッシュは特に限定されず、現在商業的に販売している全ての種類のウェット・ティッシュを用いることができる。
しかし、ウェット・ティッシュの役割を考慮して、前面に開閉用ステッカーが設けられてステッカーを分離した後ウェット・ティッシュを引き出し、またウェット・ティッシュを付着させて内部のウェット・ティッシュが乾燥することを防止するようになったウェット・ティッシュを用いることが好ましい。
好ましくは、プラスチック板１０ｄはプラスチックフィルムまたはプラスチックシートで形成される。プラスチック板１０ｄの材質は特に限定されない。ただし、ステッカーを備えたウェット・ティッシュを用いることを考慮して、プラスチック板１０ｄの材質としてはステッカーを容易に着脱できるものを用いることが好ましい。
この場合に、ウェット・ティッシュのケースに着脱自在に固定されたステッカーによって孔１０ａを開閉できる。すなわち、ウェット・ティッシュのケースに設けられたステッカーをケースから除去した後、ステッカーを孔１０ａ近辺のプラスチック板１０ｄの外側前面に着脱可能に固定する。したがって、ステッカーは選択的にウェット・ティッシュを引き出すために孔１０ａを開閉するためのカバーとして用いることができる。
【００１３】
収納部１０はその後面に付着した雄ベルクロ・ファスナーｂを備える。収納部１０はその上側を覆うためにそれに結合された収納蓋１０ｂを備える。収納蓋１０ｂの一側は収納部１０の一側面上端に固定結合され、収納蓋１０ｂの他側は雌ベルクロ・ファスナーｂによって収納部１０に着脱自在に結合される。雌ベルクロ・ファスナーｂは収納部１０の雄ベルクロ・ファスナーｂに対応して収納蓋１０ｂの内部に固定される。収納蓋１０ｂの固定手段としては他の任意のものを用いることができる。
収納蓋１０ｂの外面には排便袋ポケット１０ｃと間隔をおいて補助収納部１０ｅが設けられる。収納蓋１０ｂの外面上端中央部分には雄ベルクロ・ファスナーｂが付着して、これに対応する補助収納部１０ｅの内面にも雌ベルクロ・ファスナーｂが設けられる。補助収納部１０ｅの上部はこれらのベルクロ・ファスナーｂによって開閉される。勿論、補助収納部１０ｅの開閉手段としてはベルクロ・ファスナー以外に、任意の他の手段を採用できる。補助収納部１０ｅは愛玩動物の排便を入れた排便回収用ビニールを収納するのに用いることができる。
前述したとおり、本発明の愛玩動物の携帯型手提げ鞄は、補助収納部１０ｅの外側に形成された排便袋ポケット１０ｃを有する。排便袋ポケット１０ｃは愛玩動物の排便を回収するための排便回収用ビニール袋が積層されている通常の排便袋を収納するためのものである。
【００１４】
本実施形態において、排便袋ポケット１０ｃは補助収納部１０ｅの外側に位置するとしているが、排便袋ポケット１０ｃの位置は特定の場所に限定されない。例えば、排便袋ポケット１０ｃは収納部１０の左側または右側に適切に配置することができる。
本発明に係る愛玩動物の排便処理のための携帯型手提げ鞄は、ユーザーが直接携帯する代わりに愛玩動物の引き紐に簡便に結合して携帯するようになる。図５ないし図７は本発明に係る携帯型手提げ鞄を愛玩動物の引き紐に結合する方法を説明するための使用状態図である。
愛玩動物用引き紐は一般式と自動引き出し式に大別できる。一般式引き紐２０は図５及び図６に示すとおり、一端に愛玩動物の首に装着するベルトまたはストラップに結合されるフック２１が設けられ、他端にはユーザーが引き紐を手で握ることができる環状取っ手２２が設けられる。
【００１５】
また、自動引き出し式引き紐３０は図７に示すとおり、一端にフック３１が設けられ、他端には引き紐の引張力によって引き紐３０を引き出したり収納したりするハウジング３２が設けられる。そして、ハウジング３２にはユーザーがこれを簡便に手で握ることができるように取っ手３２１が設けられる。
図５及び図６は一般式引き紐２０に本発明に係る手提げ鞄を装着した状態を示す斜視図である。
図５において、一般式引き紐２０の取っ手２２が手提げ鞄の一側に設けられた第１のフック１１に締結され、引き紐２０は再び手提げ鞄の他側に設けられた輪１３に締結される。図６に示すとおり、引き紐取っ手２２の下側部分が第１のフック１１に締結され、図５に示すとおり、引き紐２０は再び手提げ鞄の他側に設けられた輪１３に締結される。
【００１６】
図５及び図６において、ユーザーが片手で手提げ鞄の第１のフック１１と輪１３部分との間の引き紐２０を手で握れば、引き紐２０に手提げ鞄が堅く装着される。
したがって、この状態でもう一方の手で手提げ鞄の排便袋ポケット１０ｃから排便回収用ビニール袋を引き出して愛玩動物の排便を処理し、排便の処理後にビニール袋を補助収納部１０ｅに容易に収納できる。
また、この状態で引き紐２０を握っている手で愛玩動物を捕まえた後、他の手で収納部１０の孔１０ａを通じてウェット・ティッシュを引き出すことがき、使用後のウェット・ティッシュは再び補助収納部１０ｅに収納する動作を容易に実行できる。
【００１７】
図７は自動引き出し式引き紐３０に本発明に係る手提げ鞄を装着した状態を示す状態図である。
図７において、手提げ鞄のストラップ１２を自動引き出し式引き紐３０のハウジング３２に設けられた取っ手３２１に貫通した後、その末端を第１のフック１１に締結する。すなわち、引き紐３０はハウジング３２を通じて手提げ鞄の一側に固定する。
そして、図５及び図６と同様に引き紐３０に輪１３を結合することによって、手提げ鞄の他側が引き紐３０に装着される。したがって、この場合にもユーザーが自動引き出し式引き紐３０の取っ手３２１を手で握れば、手提げ鞄が引き紐３０に堅く結合される。
【００１８】
また、この時引き紐３０は輪１３を通じて円滑に引き入れ及び引き出されるので、自動引き出し式引き紐３０の本来の動作には全く影響を及ぼさない。
そして、この状態で排便回収用ビニール袋とウェット・ティッシュの使用方式は前述した説明と実質的に同様であるので、その具体的な説明は省略する。
図８は本発明の第２実施形態に係る愛玩動物の排便処理のための携帯型手提げ鞄の正面図であり、図９はその断面図である。
本実施形態に係る携帯型手提げ鞄は、ウェット・ティッシュを引き出すために収納部１０の前面に形成した孔１０ａを備え、孔１０ａを覆うためのウェット・ティッシュ蓋１４が設けられる。ウェット・ティッシュ蓋１４は孔１０ａの周縁部に沿って結合されるフレーム１４ａと、孔１０ａを開閉するためにフレーム１４ａと収納部１０との間に狭持される蓋１４ｂを備える。
本実施形態において、ユーザーが蓋１４ｂを開閉して孔１０ａを通じてウェット・ティッシュを引き出すので、ウェット・ティッシュの引き出し動作をより容易に行うことができる。
【００１９】
図１０は本発明の第３実施形態に係る愛玩動物の排便処理のための携帯型手提げ鞄の正面図である。
本実施形態に係る携帯型鞄は輪１３の下側に第２のフック１１が設けられる。ユーザーは必要によって愛玩動物の引き紐を輪１３や第２のフック１１に選択的に締結できる。勿論、状況によって、輪１３を除去し、第２のフック１１だけを採用することも可能である。
【００２０】
すなわち、手提げ鞄を愛玩動物引き紐に締結するための手段は特に限定されない。そして、それ以外の構成は前述した実施形態と実質的に同様であるので、それについての具体的な説明は省略する。
図１１は本発明の第４実施形態に係る愛玩動物の排便処理のための携帯型手提げ鞄の正面図である。
本実施形態に係る携帯型鞄は分離型に構成した排便袋ポケット１０ｃを備える。また、収納部１０の外側には雄ベルクロ・ファスナーｂが付着され、排便袋ポケット１０ｃの一側には雌ベルクロ・ファスナーｂが付着される。したがって、排便袋ポケット１０ｃはこれらのベルクロ・ファスナーｂにより手提げ鞄の一側に着脱可能に結合される。
【００２１】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００２２】
１０：収納部
１０ａ：（ウェット・ティッシュを取り出すための）孔
１０ｂ：収納蓋
１０ｃ：排便袋ポケット
１０ｄ：プラスチック板
１０ｅ：補助収納部
１１：（第１及び第２の）フック
１２：ストラップ
１３：輪
１４：ウェット・ティッシュ蓋
１４ａ：フレーム
１４ｂ：蓋
２０：（一般式）引き紐
２１，３１：フック
２２：（一般式引き紐の）取っ手
３０：（自動引き出し式）引き紐
３２：ハウジング
３２１：（自動引き出し式引き紐の）取っ手
ｂ：ベルクロ・ファスナー
【図１】
0005918443.tif 000002
【図２】
0005918443.tif 000003
【図３】
0005918443.tif 000004
【図４】
0005918443.tif 000005
【図５】
0005918443.tif 000006
【図６】
0005918443.tif 000007
【図７】
0005918443.tif 000008
【図８】
0005918443.tif 000009
【図９】
0005918443.tif 000010
【図１０】
0005918443.tif 000011
【図１１】
0005918443.tif 000012